(57)【特許請求の範囲】
【請求項１】
３つ以上の台部を互いの間に間隔をもたせて配し、その間にボールをラケットで打ち合うスポーツに用いる用具であって、
各台部が、円板または角部が丸められた角板からなる天板と、前記天板を該天板の中心部で支える単一の脚部と、を有しており、
各台部の前記天板は該天板の中心部に前記ボールが入る穴を有しており、該穴には、該穴を覆う蓋が着脱可能に設けられる、スポーツ用具。
【請求項２】
前記脚部の下端部にキャスターが取り付けられている請求項１記載のスポーツ用具。
【請求項３】
前記３つ以上の台部の間隔を規定する棒または紐からなる連結具を有している請求項１記載のスポーツ用具。
【請求項４】
前記連結具に前記ボールが通過すべき輪具が連結されている請求項３記載のスポーツ用具。
【発明の詳細な説明】
【０００１】
【発明の属する技術分野】
本発明は、３つ以上の台部を互いの間に間隔をもたせて配し、その間にボールをラケットで打ち合うスポーツに用いるスポーツ用具に関する。
【０００２】
【従来の技術】
本発明で提供する用具が用いられるスポーツは、３つ以上の台部を互いの間に間隔をもたせて配し、その間にボールをラケットで打ち合うスポーツであり、従来無かったスポーツで、卓球とテニスをミックスしたようなスポーツである。
従来無いスポーツであるから、それに用いられる用具は従来存在しない。
【０００３】
【発明が解決しようとする課題】
本発明の目的は、３つ以上の台部を互いの間に間隔をもたせて配し、その間にボールをラケットで打ち合うスポーツに用いるスポーツ用具を提供することにある。
【０００４】
【課題を解決するための手段】
上記目的を達成する本発明はつぎの通りである。
（１）  ３つ以上の台部を互いの間に間隔をもたせて配し、その間にボールをラケットで打ち合うスポーツに用いる用具であって、
各台部が、円板または角部が丸められた角板からなる天板と、前記天板を該天板の中心部で支える単一の脚部と、を有しており、
各台部の前記天板は該天板の中心部に前記ボールが入る穴を有しており、該穴には、該穴を覆う蓋が着脱可能に設けられる、スポーツ用具。
（２）  前記脚部の下端部にキャスターが取り付けられている（１）記載のスポーツ用具。
（３）  前記３つ以上の台部の間隔を規定する棒または紐からなる連結具を有している（１）記載のスポーツ用具。
（４）  前記連結具に前記ボールが通過すべき輪具が連結されている（３）記載のスポーツ用具。
【０００５】
上記（１）のスポーツ用具は、台部が天板と脚部を有するので、通常のテーブルとしても使用することができ、スポーツ用具以外にも利用でき、多目的に利用できる。また、天板は角が無いので、スポーツ中に人が角に衝突して人が傷つくことはない。
上記（１）のスポーツ用具は、中心部に穴を有しているので、その穴をスポーツ以外にパラソル立てなどに利用でき、該スポーツ用具を多目的に利用できる。
上記（２）のスポーツ用具は、また、キャスター付きのため、移動、設定が容易である。
上記（３）のスポーツ用具は、３つ以上の台部の間隔を規定する紐または棒からなる連結具を有しているので、台部の間隔を容易に一定距離に設定することができる。
上記（４）のスポーツ用具は、ボールが通過すべき輪具を有しているので、輪具を装着した場合はスキルを必要とし、飽きさせない。
【０００６】
【発明の実施の形態】
本発明実施例のスポーツ用具を、図面を参照して、説明する。
図４、図５に示すように、本発明実施例のスポーツ用具は、３つ以上の台部１を互いの間に間隔をもたせて配し、その間にボール２をラケット３で打ち合うスポーツに用いる用具である。台部１は、円板または角部が丸められた角板からなる水平な天板４と、天板４を支える上下方向に延びる脚部５とを、有している。
また、本発明実施例のスポーツ用具は、脚部５の下端部に取り付けられたストッパー付きキャスター６を、有している。
脚部５には、天板４の高さを変更するハンドル７が設けられており、ハンドル７を一方向にまわすと天板４は上がり、他方向にまわすと天板４は下がる。
【０００７】
図１、図２に示すように、天板４は、その中心部にボール２が入る穴８を有しており、該スポーツではボール２がたまたま相手側の台部１の天板４の穴８に入ると、穴８にボール２を入れた者はボーナス得点がもらえるようにルールを決めて、スポーツに変化をもたせると、飽きないという利点がある。ただし、穴８が無い天板８でスポーツを楽しめるように、穴８を蓋９で塞ぐことができるようになっている。
【０００８】
図１、図３に示すように、３つ以上の台部１の間隔を規定する棒または紐からなる連結具１０が設けられている。台部１の間隔は、卓球のネットの役割に似た役割をもつもので、間隔を大にすると相手の台部１にボール２を打ち返すことが難しくなる。連結具１０の長さは調整可能としてあり、この長さを調整することによって、スポーツの難易度を変えて変化をもたせることができる。連結具１０は、最小の長さにして持ち運びすると便利である。連結具１０は、脚部５を開閉可能に把持する把持端部１１を有する。把持端部１１はワンタッチ式で脚部５の把持を開閉する。
【０００９】
図１に示すように、連結具１０には、ボール２が通過すべき輪具１２が着脱可能に連結されている。輪具１２の輪の形状は円形、楕円形、矩形、正方形、多角形など、任意の形状から選定される。図示例では円形の場合を示している。輪具１２が装着された場合、輪具１２は隣り合う台部１の中間に位置する。
【００１０】
図４、図５に示すように、台部１は、３つ、４つ、またはそれ以上の数、設けられて、スポーツが実行される。
ボール２はごむまたは樹脂でできており、卓球の球と同等かそれ以上の大きさを有する。ラケットはボール２の質量に応じて大きさが決定される。
【００１１】
つぎに、作用を説明する。
本発明実施例のスポーツ用具は、台部１が天板４と脚部５を有するので、図６に示すように、通常のテーブルとしても使用することができ、スポーツ用具以外にも利用でき、多目的に利用できる。また、天板４は角が無いので、スポーツ中に人が角に衝突して人が傷つくことはない。
また、脚部５の下端にキャスター６を有しているので、移動、位置設定が容易である。キャスター６はストッパー付きのものであるため、位置設定後ストッパーをかければ位置が不動となり安定する。
【００１２】
また、天板４は、中心部に穴８を有しているので、その穴８を、図７に示すように、スポーツ以外に屋外でのティーパーティ等のテーブルのパラソル立てなどに利用でき、該スポーツ用具を多目的に利用できる。
また、該スポーツ用具は、３つ以上の台部１の間隔を規定する棒または紐からなる連結具１０を有しているので、台部１の間隔を容易に一定距離に設定することができる。この一定距離は、連結具１０の長さが調整可能であるため、調整可能である。
該スポーツ用具は、ボール２が通過すべき輪具１２を有しているので、輪具１２を装着した場合はスキルを必要とし、飽きさせない。
【００１３】
【発明の効果】
請求項１のスポーツ用具によれば、台部が天板と脚部を有するので、通常のテーブルとしても使用することができ、スポーツ用具以外にも利用でき、多目的に利用できる。また、天板は角が無いので、スポーツ中に人が角に衝突して人が傷つくことはない。
また、天板４の中心部にボール２が入る穴８を有しており、穴には蓋を着脱できるので、蓋をした場合としない場合とで、スポーツに変化をもたせることができ、飽きないという利点がある。
また、天板が中心部に穴を有しているので、その穴をスポーツ以外にパラソル立てなどに利用でき、該スポーツ用具を多目的に利用できる。
請求項２のスポーツ用具によれば、キャスター付きのため、移動、設定が容易である。
請求項３のスポーツ用具によれば、３つ以上の台部の間隔を規定する棒または紐からなる連結具を有しているので、台部の間隔を容易に一定距離に設定することができる。
請求項４のスポーツ用具によれば、ボールが通過すべき輪具を有しているので、輪具を装着した場合はスキルを必要とし、飽きさせない。
【図面の簡単な説明】
【図１】  本発明実施例のスポーツ用具の、３つ以上の台部のうち隣り合う２つの台部の、全体斜視図である。
【図２】  図１のスポーツ用具の台部の斜視図である。
【図３】  図１のスポーツ用具の連結部の脚部把持部の斜視図である。
【図４】  本発明実施例のスポーツ用具で台部が３つの場合の斜視図である。
【図５】  本発明実施例のスポーツ用具で台部が４つの場合の斜視図である。
【図６】  図１のスポーツ用具の台部をテーブルとして使用した場合の斜視図である。
【図７】  図１のスポーツ用具の台部をテーブルとして使用し穴にパラソルを立てた場合の斜視図である。
【符号の説明】
１  台部
２  ボール
３  ラケット
４  天板
５  脚部
６  ストッパー付きキャスター
７  ハンドル
８  穴
９  蓋
１０  連結具
１１  把持端部
１２  輪具
【図１】
0004548878.tif 000002
【図２】
0004548878.tif 000003
【図３】
0004548878.tif 000004
【図４】
0004548878.tif 000005
【図５】
0004548878.tif 000006
【図６】
0004548878.tif 000007
【図７】
0004548878.tif 000008